(57)【要約】【課題】  樹脂製通気ばんそうこうの提供。【解決手段】  人体各部に貼り付けることができ、通気孔を具え、使用者の皮膚上の水気を十分に散逸させられ、また、樹脂製通気ばんそうこうの繊維構造表面に更に一層の適量の粘着剤が設けられて樹脂製通気ばんそうこうが順調に使用者の皮膚表層に付着するものとされると共に、使用者が樹脂製通気ばんそうこうを引き剥がす時の便利性が高められている。【選択図】        図３
0003107050.tif 000002
【実用新案登録請求の範囲】
【請求項１】
人体皮膚表層に貼り付けて使用され、複数の繊維が織成されてなり、該繊維の間に存在する空隙が通気孔を形成する樹脂製通気ばんそうこうにおいて、
各繊維の表面に粘着剤が付着させられ、該粘着剤が人体皮膚表層との粘着に用いられて該樹脂製通気ばんそうこうと人体皮膚表層とを緊密に接合させることを特徴とする、樹脂製通気ばんそうこう。
【請求項２】
請求項１記載の樹脂製通気ばんそうこうにおいて、繊維重合材で形成されたことを特徴とする、樹脂製通気ばんそうこう。
【請求項３】
請求項２記載の樹脂製通気ばんそうこうにおいて、繊維重合材が不織布とされたことを特徴とする、樹脂製通気ばんそうこう。
【請求項４】
人体皮膚表層に貼り付けて使用され、複数の繊維が織成されてなり、該繊維の間に存在する空隙が通気孔を形成する樹脂製通気ばんそうこうにおいて、
該樹脂製通気ばんそうこうの表層の繊維の表面に粘着剤が付着させられ、該粘着剤が人体皮膚表層との粘着に用いられて該樹脂製通気ばんそうこうと人体皮膚表層とを緊密に接合させることを特徴とする、樹脂製通気ばんそうこう。
【請求項５】
請求項４記載の樹脂製通気ばんそうこうにおいて、繊維重合材で形成されたことを特徴とする、樹脂製通気ばんそうこう。
【請求項６】
請求項５記載の樹脂製通気ばんそうこうにおいて、繊維重合材が不織布とされたことを特徴とする、樹脂製通気ばんそうこう。
【考案の詳細な説明】
【技術分野】
【０００１】
本考案は一種の樹脂製通気布の構造に係り、特に医療領域に運用される樹脂製通気ばんそうこうの構造に関する。
【背景技術】
【０００２】
今日、医療の領域においては、医療の目的を順調に達成するため、多様化された医療器具により医療行為を補助し、これらの医療器材には巨大で精密な検査機器から微小で簡便な医療用品、例えば医療方面に使用される固定用の樹脂製通気ばんそうこうが包含される。
【０００３】
樹脂製通気ばんそうこうは広く医療用途に使用される医療用品であり、他の器材（例えば点適用ニードル或いは薬剤）を暫時人体に固定するのに用いられ、図１には一般に周知の樹脂製通気ばんそうこう１０の構造が示され、それは布面１１と樹脂層１２の二大部分に分けられ、布面１１は多種類の軟性材料で製造可能とされ、その後、樹脂層１２がスプレー或いは塗布の方式で布面１１の一面に付着させられ、人体皮膚に対する粘着の効果を達成するものとされる。ただし通気効果が低いため、通気性を改善するため機具を使用して樹脂製通気ばんそうこう１０に孔開けして通気性を保持して皮膚呼吸を妨げないものとしている。また、上述のスプレー或いは塗布の方式のほか、近年では感圧性ホットメルト樹脂により樹脂層１２を形成し、ローラ加圧方式で樹脂層１２を定形し並びに布面１１の表面に転写したり、或いは布面１１の繊維中に溶かし込んで、良好な粘着効果を達成している。周知の樹脂製通気ばんそうこうの通気孔１３、布面１１、及び樹脂層１２の断面構造は図２に示されるとおりである。
【考案の開示】
【考案が解決しようとする課題】
【０００４】
周知の樹脂製通気ばんそうこうにおいて、樹脂層は一層の不通気の感圧性ホットメルト樹脂とされ、ゆえに樹脂層と布面結合後に布面繊維中の空隙が完全に被覆され、樹脂製通気ばんそうこうに通気不良の状況が発生し、ゆえに周知の技術で製造された樹脂製通気ばんそうこうは細小な通気孔を設置することで前述の欠点を解決している。
【０００５】
しかし樹脂製通気ばんそうこうに二次加工により通気孔を設置することは、生産のコストと時間を増し、且つ使用者が長時間樹脂製通気ばんそうこうを皮膚に貼り付ける時、このような通気孔は完全には通気の問題を解決できない。なぜなら通気孔のない部分の皮膚は樹脂層と緊密に接合されて通気不能であり、長時間このような状態であると、皮膚上の水気（汗等）が不通気の部分に細菌を繁殖させ、使用者の健康に厳重な影響を与え、また、皮膚が汗をかく状況においてある時間使用されると、樹脂層が剥離しやすくなり、使用者が樹脂製通気ばんそうこうを剥がす時、布面だけが剥がされて樹脂層が一部皮膚上に残留しやすくなり、使用上、非常に不便である。
【０００６】
以上から、本考案は一種の樹脂製通気ばんそうこうを提供することを目的とし、それは、前述の周知の樹脂製通気ばんそうこうの通気問題を解決し、並びに二次加工による孔開けの工程を省略できるようにし、樹脂製通気ばんそうこうに人体の各部に貼り付けられる機能を具備させ、且つこの樹脂製通気ばんそうこうに明らかな通気孔を具備させ、使用者の皮膚上の水分を十分に散逸させられるようにし、また樹脂製通気ばんそうこうの繊維構造表面にさらに適量の粘着剤を設置して、樹脂製通気ばんそうこうを順調に使用者の皮膚に貼り付けられるようにし、また使用者が樹脂製通気ばんそうこうを引き剥がす時の便利性を高めたものとする。
【課題を解決するための手段】
【０００７】
請求項１の考案は、人体皮膚表層に貼り付けて使用され、複数の繊維が織成されてなり、該繊維の間に存在する空隙が通気孔を形成する樹脂製通気ばんそうこうにおいて、
各繊維の表面に粘着剤が付着させられ、該粘着剤が人体皮膚表層との粘着に用いられて該樹脂製通気ばんそうこうと人体皮膚表層とを緊密に接合させることを特徴とする、樹脂製通気ばんそうこうとしている。
請求項２の考案は、請求項１記載の樹脂製通気ばんそうこうにおいて、繊維重合材で形成されたことを特徴とする、樹脂製通気ばんそうこうとしている。
請求項３の考案は、請求項２記載の樹脂製通気ばんそうこうにおいて、繊維重合材が不織布とされたことを特徴とする、樹脂製通気ばんそうこうとしている。
請求項４の考案は、人体皮膚表層に貼り付けて使用され、複数の繊維が織成されてなり、該繊維の間に存在する空隙が通気孔を形成する樹脂製通気ばんそうこうにおいて、
該樹脂製通気ばんそうこうの表層の繊維の表面に粘着剤が付着させられ、該粘着剤が人体皮膚表層との粘着に用いられて該樹脂製通気ばんそうこうと人体皮膚表層とを緊密に接合させることを特徴とする、樹脂製通気ばんそうこうとしている。
請求項５の考案は、請求項４記載の樹脂製通気ばんそうこうにおいて、繊維重合材で形成されたことを特徴とする、樹脂製通気ばんそうこうとしている。
請求項６の考案は、請求項５記載の樹脂製通気ばんそうこうにおいて、繊維重合材が不織布とされたことを特徴とする、樹脂製通気ばんそうこうとしている。
【考案の効果】
【０００８】
本考案の樹脂製通気ばんそうこうは、前述の周知の樹脂製通気ばんそうこうの通気問題を解決し、並びに二次加工による孔開けの工程を省略できるようにし、樹脂製通気ばんそうこうに人体の各部に貼り付けられる機能を具備させ、且つこの樹脂製通気ばんそうこうに明らかな通気孔を具備させ、使用者の皮膚上の水分を十分に散逸させられるようにし、また樹脂製通気ばんそうこうの繊維構造表面にさらに適量の粘着剤を設置して、樹脂製通気ばんそうこうを順調に使用者の皮膚に貼り付けられるようにし、また使用者が樹脂製通気ばんそうこうを引き剥がす時の便利性を高めている。
【考案を実施するための最良の形態】
【０００９】
図３の本考案の樹脂製通気ばんそうこうの立体図に示されるように、本考案の樹脂製通気ばんそうこう１０の主体は布面１１とされ、この布面１１は繊維重合材料で形成され、この繊維重合材料は不織布、ナイロン綿或いはその他の繊維布とされる。続いて、図４は本考案の樹脂製通気ばんそうこうの細部立体図である。図４に示されるように、本考案の布面１１は複数の繊維１４が織成されてなり、この繊維１４は不規則な状態で任意に配列されて重合され、繊維１４の間が不規則配列とされるため繊維１４の間にいずれも空隙が存在して通気孔１３とされ、各１本の繊維１４の表面に適量の粘着剤１５が付着し、この粘着剤１５が布面１１の繊維１４と皮膚が接触する時に、使用者の皮膚表層に粘着し、並びに樹脂製通気ばんそうこうと使用者の皮膚を緊密に粘着させる。
【００１０】
上述の構造のほか、本考案は同一の創作精神の下で、別の構造を提供している。図５は本考案の樹脂製通気ばんそうこうの別の実施例の立体図である。
【００１１】
この構造の樹脂製通気ばんそうこう１０の主体は布面１１とされ、この布面１１もまた繊維重合材で形成され、この繊維重合材は不織布、ナイロン綿或いはその他の繊維布とされる。図６は図５の断面図であり、そのうち、布面１１は複数の繊維１４が織成されてなり、この繊維１４は不規則な状態で任意に配列されて重合されてなる。繊維１４の間は不規則配列とされるため、繊維１４の間にいずれも空隙が存在して通気孔１３とされ、図より明らかなように、一部の繊維１４の表面が布面１１の表層を形成し、並びに使用時に使用者の皮膚と接触し、布面１１表層の繊維１４に適量の粘着剤１５が付着し、通気性が良好な多孔性形態が形成され、並びに樹脂製通気ばんそうこう１０と使用者の皮膚表層が緊密に接合可能なものとされている。
【００１２】
最後に本考案の樹脂製通気ばんそうこうを使用例を挙げて説明する。図７は本考案の樹脂製通気ばんそうこうの使用例図である。
【００１３】
樹脂製通気ばんそうこう１０を使用する時、固定したいニードル２０を樹脂製通気ばんそうこう１０で皮膚表層１に当接させる。樹脂製通気ばんそうこう１０の繊維には無数の通気孔があり、通気性が良好な多孔性形態を形成しているため、使用時に、使用者の皮膚表層１の水分が通気孔を通り空気中に散逸し、周知の樹脂製通気ばんそうこうのように通気口のない部分の皮膚表層の水分が散逸されずに通気不良となりばんそうこうが剥がれる状況を発生せず、僅かに繊維上の粘着剤が皮膚と接触するため粘着剤の使用量を減らすことができ、生産コストを減らすことができ、使用時に過多の粘着剤により剥がしにくくなることがなく、使用者が剥がすのに便利である。
【００１４】
以上の実施例は本考案の範囲を限定するものではなく、本考案に基づきなしうる細部の修飾或いは改変は、いずれも本考案の請求範囲に属するものとする。
【図面の簡単な説明】
【００１５】
【図１】周知の樹脂製通気ばんそうこうの立体図である。
【図２】周知の樹脂製通気ばんそうこうの断面図である。
【図３】本考案の樹脂製通気ばんそうこうの立体図である。
【図４】本考案の樹脂製通気ばんそうこうの断面図である。
【図５】本考案の樹脂製通気ばんそうこうの別の実施例の立体図である。
【図６】本考案の樹脂製通気ばんそうこうの別の実施例の断面図である。
【図７】本考案の樹脂製通気ばんそうこうの使用例図である。
【符号の説明】
【００１６】
１  皮膚表層
１０  樹脂製通気ばんそうこう
１１  布面
１２  樹脂層
１３  通気孔
１４  繊維
１５  粘着剤
２０  ニードル
【図１】
0003107050.tif 000003
【図２】
0003107050.tif 000004
【図３】
0003107050.tif 000005
【図４】
0003107050.tif 000006
【図５】
0003107050.tif 000007
【図６】
0003107050.tif 000008
【図７】
0003107050.tif 000009